(57)【特許請求の範囲】
【請求項１】
表示板及び前記表示板を指示する指針を有する指針式計器と、前記指針式計器によって一部が隠される表示画面を有する表示器と、前記表示器に複数のアイコンを表示させる制御手段と、を備えた車両用表示装置であって、
前記制御手段は、前記指針式計器に沿うように前記アイコンを配置して、前記表示器の前記表示画面に前記アイコンを表示させることを特徴とする車両用表示装置。
【請求項２】
前記制御手段は、選択された前記アイコンを強調処理して、前記表示器の前記表示画面に前記アイコンを表示させることを特徴とする請求項１に記載の車両用表示装置。
【請求項３】
前記制御手段は、表示コンテンツの表示エリアを定める枠状画像を表示し、前記表示コンテンツの情報量に応じて前記枠状画像を拡大または縮小して表示させることを特徴とする請求項１に記載の車両用表示装置。
【請求項４】
前記制御手段は、前記表示器の前記表示画面に表示される補助計器情報よりも優先度が高い表示コンテンツを表示するとき、前記補助計器情報をフレームアウトさせた表示領域に前記表示コンテンツを表示させることを特徴とする請求項１に記載の車両用表示装置。
【発明の詳細な説明】
【技術分野】
【０００１】
本発明は、表示器及び指針式計器を備えた車両用表示装置に関するものである。
【背景技術】
【０００２】
従来より、液晶表示器等のフラットパネルディスプレイを用いた車両用表示装置が種々提案されており、例えば特許文献１に開示されている。斯かる車両用表示装置は、指針によって物理量を表示する指針式計器と、各種車両情報を表示する液晶表示器とを単一のケース内に並べて配置したものである。
【先行技術文献】
【特許文献】
【０００３】
【特許文献１】特開平１１−３３８３９３号公報
【発明の概要】
【発明が解決しようとする課題】
【０００４】
しかしながら、特許文献１記載の車両用表示装置は、指針式計器と液晶表示器との距離を短くすることを可能としているが、指針式計器の外装部品の形状と液晶表示器に表示される画像がマッチしておらず、商品性を損なうと共に一体感に欠け、表示内容によってはシステムの把握を遅らせる虞があった。また、実体の外装部品と液晶表示器の表示を比較したときに、どんなに表示を強調しても所詮２次元の情報であり、３次元の実体外装部品の形状の方が誘目性の高い情報となってしまうという問題を有していた。
本発明は、この問題に鑑みなされたものであり、指針式計器と表示器との一体感がある車両用表示装置を提供するものである。
【課題を解決するための手段】
【０００５】
本発明は、請求項１に記載したように、表示板及び前記表示板を指示する指針を有する指針式計器と、前記指針式計器によって一部が隠される表示画面を有する表示器と、前記表示器に複数のアイコンを表示させる制御手段と、を備えた車両用表示装置であって、前記制御手段は、前記指針式計器に沿うように前記アイコンを配置して、前記表示器の前記表示画面に前記アイコンを表示させるものである。
【０００６】
また、本発明は、請求項２に記載したように、前記制御手段は、選択された前記アイコンを強調処理して、前記表示器の前記表示画面に前記アイコンを表示させるものである。
【０００７】
また、本発明は、請求項３に記載したように、前記制御手段は、表示コンテンツの表示エリアを定める枠状画像を表示し、前記表示コンテンツの情報量に応じて前記枠状画像を拡大または縮小して表示させるものである。
【０００８】
また、本発明は、請求項４に記載したように、前記制御手段は、前記表示器の前記表示画面に表示される補助計器情報よりも優先度が高い表示コンテンツを表示するとき、前記補助計器情報をフレームアウトさせた表示領域に前記表示コンテンツを表示させるものである。
【発明の効果】
【０００９】
指針式計器に沿うようにアイコンが表示されるため、指針式計器と表示器との一体感がある。
【図面の簡単な説明】
【００１０】
【図１】本発明の実施形態を示す斜視図。
【図２】同上実施形態を示す部分側面図。
【図３】同上実施形態を示すブロック図。
【図４】同上実施形態を示す要部拡大図。
【図５】同上実施形態を示す要部拡大図。
【図６】同上実施形態を示す要部拡大図。
【図７】同上実施形態を示す要部拡大図。
【発明を実施するための形態】
【００１１】
以下、添付図面に基づいて、本発明の一実施形態を説明する。車両用表示装置は、指針式計器１０，２０及び液晶表示器（表示器）３０，見返し部材４０を備えている。
【００１２】
指針式計器１０はエンジンの回転数を表示する回転計であり、指針式計器２０は車両速度を表示する速度計である。指針式計器１０，２０は、夫々、文字板（表示板）１１，２１，指針１２，２２，ステッピングモータ１３，２３，加飾リング１４，２４を有している。指針式計器１０，２０の文字板１１，２１は、指針１２，２２に指示される指標部１１ａ，２１ａを有している。
【００１３】
指針式計器１０，２０の指針１２，２２はステッピングモータ１３，２３により回動され、文字板１１，２１の指標部１１ａ，２１ａを指示する。指針式計器１０，２０の加飾リング１４，２４は、円環状になっており、液晶表示器３０の表示画面３０ａに正面視で一部重なっている。液晶表示器３０は、指針式計器１０と指針式計器２０との間に配置されている。見返し部材４０には、液晶表示器３０に対応する矩形の開口４１が形成されている。見返し部材４０は、指針式計器１０，２０と液晶表示器３０とを繋げる連結部材となっている。
【００１４】
図３は、車両用表示装置の電気的構成を示すブロック図である。マイコン（制御手段）５０は、ＣＰＵ５１，ＲＯＭ５２，ＲＡＭ５３を有している。回転センサ６１は、エンジンの回転数を検出し、マイコン５０に回転数データを出力する。速度センサ６２は、車両速度を検出し、マイコン５０に速度データを出力する。マイコン５０は、ＲＯＭ５２に格納されている所定のプログラムに基づいて、ステッピングモータ１３，２３，液晶表示器３０を駆動する。
【００１５】
液晶表示器３０は、ＴＦＴ（Thin Film Transistor）型液晶表示素子からなる液晶表示パネル３１と、この液晶表示パネル３１を透過照明する発光素子３２と、を有している。液晶表示器３０の表示画面３０ａの一部は、指針式計器１０，２０によって隠される。液晶表示器３０には、ナビゲーション，電話，ラジオ，音楽を示す複数のアイコン７１が表示される。複数のアイコン７１は、円弧状に配置されて、指針式計器２０に沿うように表示される。また、液晶表示器３０には、燃料残量を示すバーグラフ７２，ＡＴ（Automatic
Transmission）のシフトポジション７３が表示される。
【００１６】
ステアリングスイッチ等の操作装置（図示しない）によって音楽を示すアイコン７１ａが選択されたときは、アイコン７１ａは凸レンズによって拡大されたような強調処理された画像になる。そして、アイコン７１ａが指定されたときは、音楽の表示コンテンツの表示エリアを定める枠状画像８１が表示される。枠状画像８１は、見返し部材４０の開口４１よりも内側に表示される。枠状画像８１は、表示コンテンツの情報量に応じて、拡大または縮小して表示される。アイコン７１ａは枠状画像８１の内側に表示され、バーグラフ７２及びシフトポジション７３は枠状画像８１の外側に表示される。
【００１７】
図６及び図７は、液晶表示器３０の表示画面３０ａに補助計器を表示する第二表示モードを示すものである。
【００１８】
第二表示モードでは、液晶表示器３０の表示画面３０ａに３つのアナログ式補助計器の画像が表示される（図６（ａ）参照）。ここで、ＡＡＣ（Adaptive Cruise Control）の設定操作を行うと、補助計器の画像が３方向に最短距離でフレームアウトする（図６（ｂ）参照）。補助計器の画像がフレームアウトした後に、補助計器よりも優先度が高い表示コンテンツであるＡＡＣ設定画像が表示される（図６（ｃ）参照）。このＡＡＣ設定画像は補助計器の画像がフレームアウトした表示領域に表示される。ＡＡＣの設定が完了すると、補助計器の画像が３方向から最短距離でフレームインして、元の画像に戻る（図７（ｄ），図７（ｅ）参照）。
【００１９】
本発明は、本実施形態に限定されるものではなく、種々の変形が可能である。例えば、本実施形態は、選択されたアイコン７１ａが凸レンズによって拡大されたように強調処理されるものであったが、選択されたアイコン７１を点滅表示させても良い。
【符号の説明】
【００２０】
１０    指針式計器
１１    文字板（表示板）
１２    指針
２０    指針式計器
２１    文字板（表示板）
２２    指針
３０    液晶表示器（表示器）
３０ａ  表示画面
５０    マイコン（制御手段）
７１    アイコン
【図１】
0005995056.tif 000002
【図２】
0005995056.tif 000003
【図３】
0005995056.tif 000004
【図４】
0005995056.tif 000005
【図５】
0005995056.tif 000006
【図６】
0005995056.tif 000007
【図７】
0005995056.tif 000008